(57)【要約】【課題】板材を用いた遮蔽装置として、実用的で効果的な構造を得ること。【解決手段】遮蔽装置としてのプリーツスクリーン２０は、ジクザグ状に折り畳み可能なスクリーンＳを有する。スクリーンＳは、中空構造の板材としてのプラダンＰの両面に、プラダンＰの両端間を横切るスリットｔが、当該スリットｔに直交する方向に所定間隔で表面と裏面とに交互に形成されて構成されている。プラダンＰの上下方向に両面交互にスリットｔが形成されているので、スリットｔ位置でプラダンＰが折り畳まれる。プラダンＰを展開してスクリーンＳを延ばした状態では、スクリーンＳが中空構造のプラダン等の板材Ｐなので、空気層を有して断熱効果を得るようにした。【選択図】図１
2018165427.tif 000002
【特許請求の範囲】
【請求項１】
ジクザグ状に折り畳み可能としたスクリーンを有する遮蔽装置であって、
前記スクリーンは、
中空構造の板材と、
前記板材の両面に、当該板材の両端間を横切って切り込まれ、且つ当該横切る方向と直交する方向に所定間隔で表面と裏面とに交互に形成されたスリットと
を備えて構成されている
ことを特徴とする遮蔽装置。
【請求項２】
ジクザグ状に折り畳み可能としたスクリーンを有する遮蔽装置であって、
前記スクリーンは、
中空構造の板材
を備え、
前記板材の表裏面に、上下方向等間隔で表裏交互に板幅分だけ上下方向に非連続となる非連続部分を有して構成されている
ことを特徴とする遮蔽装置。
【請求項３】
ジクザグ状に折り畳み可能としたスクリーンを有する遮蔽装置であって、
前記スクリーンは、
中空構造を成す長方形状の複数の板材と、
前記ジグザグ状に折り畳まれる裏側から見て山折側の稜線の両端間に渡って設けられた補強部と
を備え、
上下の前記補強部の間の稜線の表側に上下方向に非連続となる非連続部分を有して構成されている
ことを特徴とする遮蔽装置。
【請求項４】
前記ジクザグ状に折り畳み可能な前記板材は、展開時に平面状となる
ことを特徴とする請求項１に記載の遮蔽装置。
【請求項５】
ジクザグ状に折り畳み可能としたスクリーンを有する遮蔽装置であって、
前記スクリーンは、
中空構造を成す長方形状の複数の板材と、
前記複数の板材を、長手方向の端面を当接して配列された状態で、隣接する一対の板材毎に境界を跨いで、表面と裏面とで交互に貼り合わせた連結テープと
を備えて構成されている
ことを特徴とする遮蔽装置。
【請求項６】
前記スクリーンは、
前記スリットで折り畳まれる裏側から見て山折側に設けられた補強部
を更に備えて構成されている
ことを特徴とする請求項１又は４に記載の遮蔽装置。
【請求項７】
前記補強部は、
前記スリットで折り畳まれる裏側から見て山折側の稜線の両端間に渡って設けられている
ことを特徴とする請求項６記載の遮蔽装置。
【請求項８】
前記補強部は、
前記スリットの表面側の谷折部分が、上下で所定幅重ねられ接着されて形成されている
ことを特徴とする請求項６に記載の遮蔽装置。
【請求項９】
前記スクリーンの上端に配置されたヘッドボックスと、
前記スクリーンの下端に配置されたボトムレールと、
前記ヘッドボックスから垂下され、前記ボトムレールに下端が固定された少なくとも１本の昇降紐と
を備え、
前記補強部に上下方向に貫通する貫通孔が形成され、当該貫通孔に前記昇降紐が挿通されている
ことを特徴とする請求項６〜８の何れか１項に記載の遮蔽装置。
【請求項１０】
前記スクリーンは、
前記スリット間で且つ前記板材の両端に取り付けられた係合部材と、
前記板材の両側に上下方向に延設され、前記係合部材が移動自在に組み付けられたガイドレールと
を更に備えることを特徴とする請求項１又は４に記載の遮蔽装置。
【請求項１１】
ジクザグ状に折り畳み可能としたスクリーンを有する遮蔽装置であって、
前記スクリーンは、
中空構造で少なくともプリーツ状に折り畳み可能な板材と、
前記板材の一面側に配設された幕材と
を備えて構成されている
ことを特徴とする遮蔽装置。
【請求項１２】
前記板材の一面又は前記スクリーンの上端が配置されるヘッドボックスと、
前記板材の他面又は前記スクリーンの下端が配置されるボトムレールと
を備え、
前記ボトムレールが最下限に位置した状態で、前記板材がジグザグを保持し、この保持された板材と、前記幕材との間に空気層が形成されるようにした
ことを特徴とする請求項１１に記載の遮蔽装置。
【請求項１３】
前記板材はプラスチック段ボール板であり、前記幕材はレザーである
ことを特徴とする請求項１２に記載の遮蔽装置。
【請求項１４】
前記板材の一面又は前記スクリーンの上端が配置されるヘッドボックスの一面に固定され、前記幕材を着脱自在に取付可能な取付部を備え、
前記幕材が前記取付部に着脱自在に取り付けられている
ことを特徴とする請求項１１〜１３の何れか１項に記載の遮蔽装置。
【請求項１５】
前記スクリーンは、
前記板材の他面側に離間して配設された第２の幕材を備えて構成されている
ことを特徴とする請求項１１〜１４の何れか１項に記載の遮蔽装置。
【請求項１６】
前記幕材を単独で昇降する昇降手段
を備えることを特徴とする請求項１１〜１４の何れか１項に記載の遮蔽装置。
【請求項１７】
前記スリットで折り畳まれる裏側から見て山折側に設けられた補強部を備え、
前記補強部は、上下方向に貫通する貫通孔が形成され、当該貫通孔に前記昇降紐が挿通されており、
前記幕材は、前記板材の表面側に、前記スリットで折り畳まれる表面側の谷折部分に接着されている
ことを特徴とする請求項１１〜１３の何れか１項に記載の遮蔽装置。
【請求項１８】
ハンガーレール内を移動可能に支持された複数のランナーによりスラットが垂下支持され、操作機構により、当該ランナーが一方向へ順次移動することにより当該スラットが拡がり、当該ランナーが他方向へ順次移動することにより当該スラットが畳み込まれる構成の遮蔽装置であって、
前記スラットは、
中空構造の板材により構成されている
ことを特徴とする遮蔽装置。
【請求項１９】
前記スラットは、前記板材の中空構造の連続方向が、前記ハンガーレールに吊り下がる方向に連続して延びている構成とした
ことを特徴とする請求項１８に記載の遮蔽装置。
【請求項２０】
前記スラットは、端面処理が施されている
ことを特徴とする請求項１８又は１９に記載の遮蔽装置。
【発明の詳細な説明】
【技術分野】
【０００１】
本発明は、窓等に昇降自在に取り付けられ、採光の調節や部屋の仕切り等に用いられる遮蔽装置に関する。
【背景技術】
【０００２】
遮蔽装置として、例えば特許文献１に記載のプリーツカーテンがある。このプリーツカーテンは、図１２（ａ）及び（ｂ）に示すように、連結索１２ｂで連結してジグザグ状に折畳み可能としたカーテン材１２を、ヘッドボックス１１から昇降自在に垂下してある。更に、ヘッドボックス１１から吊下支持したピッチ保持コード１６に多数のピッチ保持部材１７の基端部を等間隔に取着し、ピッチ保持部材１７の先端部をカーテン材１２の連結索１２ｂに等間隔に取着した構成となっている。この構成において、カーテン材１２を上下に折畳み又は展開させながら昇降させ、室内への採光等を調節できる。
【先行技術文献】
【特許文献】
【０００３】
【特許文献１】特開２０００−８０８６８号公報
【発明の概要】
【発明が解決しようとする課題】
【０００４】
従来の板材を用いた遮蔽装置としては、実用的で効果的な構造が見出せなかった。
【０００５】
本発明は、このような背景に鑑みてなされたものであり、板材を用いた遮蔽装置として、実用的で効果的な構造を得ることができる遮蔽装置を提供することを課題とする。
【課題を解決するための手段】
【０００６】
本発明では、従来の遮蔽装置（プリーツカーテン）はカーテン材が分離しているため断熱性に乏しかったので、ジグザグ状に折畳み可能な構成において展開時に断熱効果を得ることができる遮蔽装置を下記のように実現する。
【０００７】
また、従来の遮蔽装置は、ヘッドボックスから垂れ下がっているだけで、一方向からのより強い押圧力に抗する強度が無かったので、平面状の展開時により強い押圧力に抗する押圧強度を得ることができる遮蔽装置を下記のように実現する。
【０００８】
更に、従来の遮蔽装置は、展開時にジグザグ状で美観が良くなかったので、展開時に美観を良くすることができる遮蔽装置を下記のように実現する。
【０００９】
上記の課題を解決するため、本発明の請求項１に係る発明は、ジクザグ状に折り畳み可能としたスクリーンを有する遮蔽装置であって、前記スクリーンは、中空構造の板材と、前記板材の両面に、当該板材の両端間を横切って切り込まれ、且つ当該横切る方向と直交する方向に所定間隔で表面と裏面とに交互に形成されたスリットとを備えて構成されていることを特徴とする遮蔽装置である。
【００１０】
この構成によれば、スリット（切り込み）が板材の表面と裏面とに交互に形成されているので、板材がジグザグ状に折り畳まれる。スクリーンが中空構造の板材で形成されているので、断熱効果がある空気層を有する。このため、窓の内側にスクリーンが平面状に展開された場合、この空気層を有する仕切り手段によって、窓と外で交換される熱を遮る断熱効果を得ることができる。従って、板材を用いた遮蔽装置として、実用的で効果的な構造を得ることができる。
【００１１】
請求項２に係る発明は、ジクザグ状に折り畳み可能としたスクリーンを有する遮蔽装置であって、前記スクリーンは、中空構造の板材を備え、前記板材の表裏面に、上下方向等間隔で表裏交互に板幅分だけ上下方向に非連続となる非連続部分を有して構成されていることを特徴とする遮蔽装置である。
【００１２】
この構成によれば、板材が板幅分毎にジグザグ状に折り畳まれるスクリーンが、中空構造の板材で形成されているので、断熱効果がある空気層を有する。このため、窓と外で交換される熱を遮る断熱効果を得ることができる。
【００１３】
請求項３に係る発明は、ジクザグ状に折り畳み可能としたスクリーンを有する遮蔽装置であって、前記スクリーンは、中空構造を成す長方形状の複数の板材と、前記ジグザグ状に折り畳まれる裏側から見て山折側の稜線の両端間に渡って設けられた補強部とを備え、上下の前記補強部の間の稜線の表側に上下方向に非連続となる非連続部分を有して構成されていることを特徴とする遮蔽装置である。
【００１４】
この構成によれば、スクリーンを平面状に展開した際に、両端間に設けられた補強部が、縦方向に非連続部分一つ置き毎に複数設けられているので、補強部の配設部分の非連続部分では、補強部配設面からの押圧力に抗する押圧強度を得ることができる。
【００１５】
請求項４に係る発明は、前記ジクザグ状に折り畳み可能な前記板材は、展開時に平面状となることを特徴とする請求項１に記載の遮蔽装置である。
【００１６】
この構成によれば、板材を展開してスクリーンを延ばした状態では、各スリット部分が当接してスクリーン全体が平面状となる。この状態では、例えば窓との間に隙間が空くことが無いので断熱効果を保持することができるという効果がある。
【００１７】
請求項５に係る発明は、ジクザグ状に折り畳み可能としたスクリーンを有する遮蔽装置であって、前記スクリーンは、中空構造を成す長方形状の複数の板材と、前記複数の板材を、長手方向の端面を当接して配列された状態で、隣接する一対の板材毎に境界を跨いで、表面と裏面とで交互に貼り合わせた連結テープとを備えて構成されていることを特徴とする遮蔽装置である。
【００１８】
この構成によれば、スクリーンの連結テープで貼り合わされた面と反対側の面の境界部分に、板にスリット（切り込み）を入れたと同様のスリット形状部が形成される。このスリット形状部は、スクリーンの表面と裏面とに交互に形成されることになる。従って、上記請求項１の遮蔽装置と同様な効果を奏すことができる。また、本請求項４のスクリーンは、複数枚の細長い板材の境界部分を表面と裏面とで交互に連結テープで貼り合わせて構成している。このため、耐久力の高い連結テープを使用すれば、スクリーンをジグザグ状に折り畳んだ際に、境界部分の折り畳みの消耗に対する耐久力を高めることができる。
【００１９】
請求項６に係る発明は、前記スクリーンは、前記スリットで折り畳まれる裏側から見て山折側に設けられた補強部を更に備えて構成されていることを特徴とする請求項１又は４に記載の遮蔽装置である。
【００２０】
請求項７に係る発明は、前記補強部は、前記スリットで折り畳まれる裏側から見て山折側の稜線の両端間に渡って設けられていることを特徴とする請求項６記載の遮蔽装置である。
請求項８に係る発明は、前記補強部は、前記スリットの表面側の谷折部分が、上下で所定幅重ねられ接着されて形成されていることを特徴とする請求項６に記載の遮蔽装置である。
【００２１】
上記請求項６〜８の構成によれば、スクリーンを平面状に展開した際に、両端間に設けられた補強部が、縦方向に境界一つ置き毎に複数設けられているので、この補強部の配設部分の境界では、補強部配設面からの押圧力に抗する押圧強度を得ることができる。
【００２２】
請求項９に係る発明は、前記スクリーンの上端に配置されたヘッドボックスと、前記スクリーンの下端に配置されたボトムレールと、前記ヘッドボックスから垂下され、前記ボトムレールに下端が固定された少なくとも１本の昇降紐とを備え、前記補強部に上下方向に貫通する貫通孔が形成され、当該貫通孔に前記昇降紐が挿通されていることを特徴とする請求項６〜８の何れか１項に記載の遮蔽装置である。
【００２３】
この構成によれば、スクリーンの平面状の展開時に、複数の補強部が貫通孔に挿通された昇降紐で縦方向に規制されるので、横方向へのぶれが抑制され、スクリーン全体のぶれを少なくすることができる。
【００２４】
請求項１０に係る発明は、前記スクリーンは、前記スリット間で且つ前記板材の両端に取り付けられた係合部材と、前記板材の両側に上下方向に延設され、前記係合部材が移動自在に組み付けられたガイドレールとを更に備えることを特徴とする請求項１〜３の何れか１項に記載の遮蔽装置である。
【００２５】
この構成によれば、スクリーンをジグザグ状に折り畳んだり、この逆に展開させたりして昇降させる場合に、スクリーンの両側に配設された係合部材がガイドレール内に支持されながら移動する。このため、スクリーンの昇降動作を安定的にスムーズに行うことができると共に、スクリーン（板材）が遮蔽位置から外れることを防止することができる。また、スクリーンの展開時に、両側の係合部材がガイドレールで支持されているので、スクリーンの一面側からの押圧力に抗する押圧強度が、より強くなる。
【００２６】
請求項１１に係る発明は、ジクザグ状に折り畳み可能としたスクリーンを有する遮蔽装置であって、前記スクリーンは、中空構造の板材と、前記板材の両面に、当該板材の両端間を横切って切り込まれ、且つ当該横切る方向と直交する方向に所定間隔で表面と裏面とに交互に形成されたスリットと、前記板材の一面側に配設された幕材とを備えて構成されていることを特徴とする遮蔽装置である。
【００２７】
この構成によれば、板材が平面状に展開された際に、この板材の前方に幕材が配置されるので、幕材によりスクリーンのジグザグ形状が隠されるので美観を良くすることができる。また、平面状の板材の前に幕材が配置されるので、板材と幕材との間に空気層を有する隙間が形成される。この空気層を有する仕切り手段によって、例えば窓と外で交換される熱を遮る断熱効果を得ることができる。
【００２８】
請求項１２に係る発明は、前記板材の一面又は前記スクリーンの上端が配置されるヘッドボックスと、前記板材の他面又は前記スクリーンの下端が配置されるボトムレールとを備え、前記ボトムレールが最下限に位置した状態で、前記板材がジグザグを保持し、この保持された板材と、前記幕材との間に空気層が形成されるようにしたことを特徴とする請求項１１に記載の遮蔽装置である。
【００２９】
この構成によれば、板材が平面状に展開された際に、幕材によりスクリーンのジグザグ形状が隠されるので美観を良くすることができる。また、板材と幕材との間に空気層が形成されるので、窓と外で交換される熱を遮る断熱効果を得ることができる。
【００３０】
請求項１３に係る発明は、前記板材はプラスチック段ボール板であり、前記幕材はレザーであることを特徴とする請求項１２に記載の遮蔽装置である。
【００３１】
この構成によれば、板材にプラスチック段ボール板を用いたので、軽量且つ安価に構成することができる。幕材にレザーを用いたので、柔軟で美観を良くすることができる。
【００３２】
請求項１４に係る発明は、前記板材の一面又は前記スクリーンの上端が配置されるヘッドボックスの一面に固定され、前記幕材Ｍを着脱自在に取付可能な取付部を備え、前記幕材が前記取付部に着脱自在に取り付けられていることを特徴とする請求項１１〜１３の何れか１項に記載の遮蔽装置である。
【００３３】
この構成によれば、季節に応じたり、来客やパーティー等に応じて幕材Ｍを取り換える等、自在に取り換えることができる。
【００３４】
請求項１５に係る発明は、前記スクリーンは、前記板材の他面側に離間して配設された第２の幕材を備えて構成されていることを特徴とする請求項１１〜１４の何れか１項に記載の遮蔽装置である。
【００３５】
この構成によれば、板材が平板状に展開された際に、この板材の両面側に幕材が離間して配置されるので、窓と外との熱を遮る断熱効果を、より高めることができる。
【００３６】
請求項１６に係る発明は、前記幕材を単独で昇降する昇降手段を備えることを特徴とする請求項１１〜１４の何れか１項に記載の遮蔽装置である。
【００３７】
この構成によれば、板材が平板状に展開された状態で、幕材を単独で昇降できるので、幕材を全て上げて板材の柄を見せたり、幕材を全て下げて幕材の柄を見せたりして演出することができる。更に、幕材を途中位置まで垂らして、幕材と板材との柄を組合せた柄で演出することもできる。
【００３８】
請求項１７に係る発明は、前記スリットで折り畳まれる裏側から見て山折側に設けられた補強部を備え、前記補強部は、上下方向に貫通する貫通孔が形成され、当該貫通孔に前記昇降紐が挿通されており、前記幕材は、前記板材の表面側に、前記スリットで折り畳まれる表面側の谷折部分に接着されていることを特徴とする請求項１１〜１３の何れか１項に記載の遮蔽装置である。
【００３９】
この構成においては、幕材が板材の表面から見た谷折部分に接着されているので、板材及び幕材の双方を１本の昇降紐で昇降させることができる。また、板材が展開された際に、板材の表面側の谷折部分に接着された幕材がドーム状に膨らむので、その膨らんだ部分に空気層ができ、断熱効果を得ることができる。
【００４０】
請求項１８に係る発明は、ハンガーレール内を移動可能に支持された複数のランナーによりスラットが垂下支持され、操作機構により、当該ランナーが一方向へ順次移動することにより当該スラットが拡がり、当該ランナーが他方向へ順次移動することにより当該スラットが畳み込まれる構成の遮蔽装置であって、前記スラットは、中空構造の板材により構成されていることを特徴とする遮蔽装置である。
【００４１】
この構成によれば、遮蔽装置が平面状に拡がって展開された場合、例えば窓と室内との間に空気層を有するスラットによる仕切り層ができるので、窓と外で交換される熱を遮る断熱効果を得ることができる。また、スラットを中空構造の板材を用いて構成するだけなので、容易に製造することができる。
【００４２】
請求項１９に係る発明は、前記スラットは、前記板材の中空構造の連続方向が、前記ハンガーレールに吊り下がる方向に連続して延びている構成としたことを特徴とする請求項１８に記載の遮蔽装置である。
【００４３】
この構成によれば、スラットに中空部分を多くすることが可能なので軽量化を図ることができ、スラットの移動や回転を、よりスムーズに行うことができる。
【００４４】
請求項２０に係る発明は、前記スラットは、端面処理が施されていることを特徴とする請求項１８又は１９に記載の遮蔽装置である。
【００４５】
この構成によれば、スラットの外観の美観を向上させることができる。
【発明の効果】
【００４６】
本発明の遮蔽装置では、板材を用いた遮蔽装置として、実用的で効果的な構造を得ることができる。
【図面の簡単な説明】
【００４７】
【図１】本発明の第１実施形態に係る遮蔽装置としてのプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【図２】（ａ）〜（ｅ）は本実施形態の遮蔽装置としてのプリーツスクリーンのスクリーンを構成する板材の中空構造を示す断面図である。
【図３】第１実施形態の応用例１に係るプリーツスクリーンの構成を示す側面図である。
【図４】第１実施形態の応用例２に係るプリーツスクリーンの構成を示す側面図である。
【図５】第１実施形態の応用例３に係るプリーツスクリーンの構成を示し、（ａ）はプリーツスクリーン折り畳み状態の構成を示す側面図、（ｂ）はプリーツスクリーン展開途中の構成を示す側面図、（ｃ）はプリーツスクリーン展開時の側面図である。
【図６】第１実施形態の応用例４に係るプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【図７】本発明の第２実施形態に係る遮蔽装置としてのプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【図８】第２実施形態の応用例１に係るプリーツスクリーンの構成を示す側面図である。
【図９】第２実施形態の応用例２に係るプリーツスクリーンの構成を示す側面図である。
【図１０】第２実施形態の応用例３に係るプリーツスクリーンの構成を示す側面図である。
【図１１】本発明の第３実施形態に係る遮蔽装置としての縦型ブラインドの構成を示し、（ａ）は縦型ブラインドの構成を示す斜視図、（ｂ）は（ａ）の縦型ブラインドのスラットの一部断面図である。
【図１２】特許文献１のプリーツスカーテンの構成を示し、（ａ）は正面図、（ｂ）は一部側面図である。
【発明を実施するための形態】
【００４８】
＜第１実施形態の構成＞
本発明の第１実施形態について、適宜図面を参照しながら詳細に説明する。
図１は、本発明の第１実施形態に係る遮蔽装置としてのプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【００４９】
図１（ａ）〜（ｃ）に示すプリーツスクリーン２０は、窓枠等に取り付けられたヘッドボックス２１からスクリーンＳが吊下支持されている。スクリーンＳは、上下方向にジクザグ状（山折及び谷折の蛇腹状）に折り畳み可能となっており、ヘッドボックス２１に搭載される操作装置（図示せず）に組み付けられた操作コード２３の操作により昇降可能となっている。この昇降により窓からの採光量を適宜調節することができる。
【００５０】
スクリーンＳは、図１（ｂ）に示すように、中空構造の板材Ｐの両面に、両端間を横切るスリット（切れ目）ｔを、上下方向（スリットｔに直交する方向）に所定間隔で表面と裏面とに交互に形成して構成されている。スリットｔは、板材Ｐの一面側から入れられるが、他面側には貫通しないので、板材Ｐのスリットｔの奥の他面側は繋がった形状となっている。このように板材Ｐの一面側から入ったスリットｔの奥の他面側が繋がった形状が、表面と裏面とに上下方向に交互に形成されることで、板材Ｐは、上下にジグザグ状に折畳み又は平面状に展開｛図１（ｃ）｝しながら昇降可能となっている。なお、スリットｔは、請求項記載の非連続部分とも表現できる。
【００５１】
また、板材Ｐには、貫通孔Ｐｂが設けられており、この貫通孔Ｐｂには、ヘッドボックス２１から垂下される昇降紐２４が直線状に挿通されている。貫通孔Ｐｂは、板材Ｐのスリットｔ間に設けられている。本例では、スリットｔ間の中央位置に設けられている。昇降紐２４の下端は、板材Ｐの下端に取り付けられたボトムレール２５に固定されている。貫通孔Ｐｂを通って垂下される昇降紐２４は、図１（ａ）に示すように、板材Ｐの両側に平行に配設されている。
【００５２】
昇降紐２４は、図１（ｃ）に示すように、スクリーンＳの平板状の展開時にヘッドボックス２１とボトムレール２５とを互いに引き合う上下方向のテンションを付与可能となっている。このテンションの付与は、操作コード２３を操作して行う。
【００５３】
板材Ｐには、図２（ａ）〜（ｅ）に示すような種々の構成のプラスチック段ボール板（プラダン）Ｐや中空構造の板材が用いられる。図２（ａ）は、図２（ｂ）に示すハニカム構造の中材Ｐｄを平板Ｐｅ，Ｐｅで挟んで固定した構造の板材（プラダン）を示す。図２（ｃ）は、細長い円筒状の中材Ｐｄを２段重ねで平板Ｐｅ，Ｐｅで挟んで固定した構造の板材（プラダン）を示す。図２（ｄ）は、離間した上下の平板Ｐｉ，Ｐｉの間に、角筒状の空洞が形成されるように仕切り板Ｐｈで仕切った構造の板材（プラダン）を示す。図２（ｅ）は、断面波形構造の中材Ｐｊを平板Ｐｋ，Ｐｋで挟んで固定した構造の板材（プラダン）を示す。この板材は、中材Ｐｊと平板Ｐｋとが接合された間の平板Ｐｋの表面側又は裏面側から、図面に向かって直交方向にスリットが入れられる。なお、板材Ｐは、プラダン以外にも、他の材料による図２（ａ）〜（ｄ）に示すと同様な種々の構成の板材を用いてもよい。
【００５４】
図１に示す操作コード２３は、ヘッドボックス２１のコード出口を通して昇降紐２４に図示せぬコードイコライザを介して連結されている。この操作コード２３を操作して昇降紐２４のコード出口からの引き出し量を変化させることによりボトムレール２５を昇降させて、スクリーンＳを昇降させるようになっている。
【００５５】
＜第１実施形態の動作＞
図１に示す操作コード２３を引く操作を行うと、昇降紐２４の引き出し量が同時に変化してボトムレール２５が引き上げられ、それに連れてスクリーンＳがジグザグ状に折り畳まれながら上昇する。最後には、隙間無く折り畳まれた状態でヘッドボックス２１の下面に装着される。この状態から操作コード２３を引き出してから手を離すと、ヘッドボックス２１内のストッパ（図示せず）が作動して昇降紐２４が保持され、ボトムレール２５の自重による降下が妨げられる。操作コード２３を再度少し引っ張るとストッパが昇降紐２４を解放し、ボトムレール２５を降下させる。この降下に連れてスクリーンＳが下降しながら展開されて行き、最終的には図１（ｃ）に示す１枚の平板状に展開した状態となる。この際、各スリットｔの上下面が当接してスクリーンＳ全体が立設した一枚の板状に保持される。
【００５６】
＜第１実施形態の効果＞
第１実施形態のプリーツスクリーン２０は、ジクザグ状に折り畳み可能なスクリーンＳを有しており、次のような特徴構成となっている。
（１）スクリーンＳは、中空構造の板材Ｐ（例えばプラダンＰ）の両面に、当該プラダンＰの両端間を横切るスリットｔを、当該スリットｔに直交する方向（上下方向）に所定間隔で表面と裏面とに交互に形成して構成されている。
【００５７】
この構成によれば、プラダンＰの上下方向に両面交互にスリットｔが形成されているので、スリットｔ位置でプラダンＰが折り畳まれる。プラダンＰを展開してスクリーンを延ばした状態では、スクリーンＳが中空構造のプラダン等の板材Ｐで形成されているので、断熱効果がある空気層を有する。このため、スクリーンＳが平面状に展開された場合、例えば窓と室内との間に空気層を有するスクリーンＳによる仕切り層ができるので、窓と外で交換される熱を遮る断熱効果を得ることができる。また、平板状のプラダンＰを表裏交互にカットするという簡易な方法で、プリーツスクリーン２０を容易に製造することができる。
【００５８】
（２）ジクザグ状に折り畳み可能なプラダンＰが、展開時に平面状となる構成とした。
【００５９】
この構成によれば、プラダンＰを展開してスクリーンＳを延ばした状態では、各スリットｔ部分が当接してスクリーンＳ全体が平面状となる。この状態では、例えば窓との間に隙間が開くことが無いので断熱効果を保持することができる。
【００６０】
（３）スクリーンＳの上端に配置されたヘッドボックス２１と、スクリーンＳの下端に配置されたボトムレール２５と、ヘッドボックス２１とボトムレール２５とに両端が固定された少なくとも１本の昇降紐２４とを備える。スクリーンＳは、ジグザグに折り畳まれるプラダン部分に貫通孔２２ｂが形成され、当該貫通孔２２ｂに昇降紐２４が挿通されている。この昇降紐２４は、スクリーンＳの平板状の展開時にヘッドボックス２１とボトムレール２５とを対向方向に引っ張るテンションを付与可能な構成とした。
【００６１】
この構成によれば、貫通孔２２ｂに挿通された昇降紐２４により、スクリーンＳの平板状の展開時にヘッドボックス２１とボトムレール２５とを対向方向に引っ張るテンションが付与される。このテンションにより、１枚の平板状のスクリーンＳに、上下から対向方向に押圧する力が働くので、スクリーンＳの各スリットｔの上下当接面がより強い力で対向方向に押圧される。このため、スクリーンＳの一面側からの押圧力に抗する押圧強度を、より強くすることができる。
【００６２】
＜第１実施形態の応用例１＞
図３は、第１実施形態の応用例１に係るプリーツスクリーンの構成を示す側面図である。
図３に示す応用例１のプリーツスクリーン２０Ａが、第１実施形態のプリーツスクリーン２０（図１）と異なる点は、スクリーンＳ１を次のように構成した。即ち、長方形状を成す、長手方向の端面が当接して配列された複数のプラダンＰ１を、隣接する一対のプラダンＰ毎に境界を跨いで、表面と裏面とを交互に連結テープ２７で貼り合わせ、ジグザグ状に折り畳み可能に構成したことにある。
【００６３】
この構成においても、スクリーンＳ１の連結テープ２７で貼り合わせた境界と反対側の面の境界に、スリットｔ｛図１（ｂ）参照｝と同じスリット形状部ｔ１が形成される。このスリット形状部ｔ１は、スクリーンＳ１の表面と裏面とに上下方向に所定間隔で交互に形成されることになる。
【００６４】
従って、応用例１のプリーツスクリーン２０Ａにおいては、第１実施形態のプリーツスクリーン２０と同様な効果を奏すことができる。
また、スクリーンＳ１は、複数枚のプラダンＰ１の境界を上述したように連結テープ２７で貼り合わせて構成している。このため、耐久力の高い連結テープ２７を使用すれば、スクリーンＳ１をジグザグ状に折り畳む動作を繰り返した場合に、その折り畳み動作の消耗に対する耐久力を高めることができる。
【００６５】
＜第１実施形態の応用例２＞
図４は、第１実施形態の応用例２に係るプリーツスクリーンの構成を示す側面図である。
図４に示す応用例２のプリーツスクリーン２０Ｂが、第１実施形態のプリーツスクリーン２０（図１）と異なる点は、次の通りスクリーンＳ２を形成したことにある。即ち、中空構造の板材（プラダン）Ｐの両面に、両端間を横切るスリットｔを、上下方向に所定間隔で表面と裏面とに交互に形成し、スリットｔで折り畳まれる裏面の山折側の稜線に、横方向両端に跨るリブ（補強部）２８を設ける。リブ２８は、板材Ｐと別体に構成され、板材Ｐに係合や接着剤で固定されている。このリブ２８は、山折側の稜線に取り付けられており、板材Ｐが折畳状態から山折状態を経て展開状態、又は展開状態から山折状態を経て折畳状態に可動可能に取り付けられている。更に、リブ２８に上下方向（リブ配列方向）に貫通する貫通孔２８ａを形成し、貫通孔２８ａに昇降紐２４を直線状に挿通してスクリーンＳ２を構成したことにある。
【００６６】
この構成においては、スクリーンＳ２を平面状に展開した際に、横方向両端間に設けられたリブ２８が、縦方向にスリットｔ一つ置き毎に複数設けられているので、各リブ２８の配設部分のスリット境界では、リブ２８の配設面からの押圧力に抗する押圧強度を得ることができる。また、複数のリブ２８は、平面状の展開時に、貫通孔２８ａに挿通された昇降紐２４で縦方向に規制されるので、スクリーンＳ２全体のぶれを少なくすることができる。更に、スクリーンＳ２に昇降紐２４を通す貫通孔Ｐｂ（図１参照）が不要なので、光漏れが無くなる。更に、昇降紐２４がスクリーンＳ２の裏面側に配置され、表面側からは見えないため、意匠性を向上させることができる。
【００６７】
＜第１実施形態の応用例３＞
図５は、第１実施形態の応用例３に係るプリーツスクリーンの構成を示し、（ａ）はプリーツスクリーン折り畳み状態の構成を示す側面図、（ｂ）はプリーツスクリーン展開途中の構成を示す側面図、（ｃ）はプリーツスクリーン展開時の側面図である。
【００６８】
図５（ａ）〜（ｃ）に示す応用例３のプリーツスクリーン２０Ｃが、応用例２のプリーツスクリーン２０（図４）と異なる点は、次の通りである。即ち、図５（ｂ）及び（ｃ）に示すように、スクリーンＳ３において、中空構造の板材（プラダン）Ｐ２の両面に、両端間を横切るスリットｔを上下方向に所定間隔で表面と裏面とに交互に形成し、裏面側のスリットｔを中心にした表面側の上下位置にスリットｔ１，ｔ１を形成する。次に、裏面側のスリットｔと、表面側の２つのスリットｔ１，ｔ１との区間を表面側から見て谷折とし、この谷折側部分を裏側に予め定められた所定の長さ突出させる。この突出した所定の長さの区間を上下で重なる状態で接着してリブ（補強部）２９を形成する。つまり、リブ２９は、プラダンＰ２が所定の長さで上下で重なり接着された形状を成す。更に、リブ２９に上下方向（リブ配列方向）に貫通する貫通孔２９ａを形成し、貫通孔２９ａに昇降紐２４を直線状に挿通してスクリーンＳ３を構成したことにある。
【００６９】
この構成においては、スクリーンＳ３を平面状に展開した際に、横方向両端間に設けられたリブ２９が、縦方向（上下方向）にスリット境界一つ置き毎に複数設けられているので、このリブ２９の配設部分の境界では、リブ２９の配設面からの押圧力に抗する押圧強度を得ることができる。更に、複数のリブ２９は、平面状の展開時に、貫通孔２９ａに挿通された昇降紐２４で縦方向に規制されるので、横方向へのぶれが抑制され、スクリーンＳ３全体のぶれを少なくすることができる。また、１枚のプラダンを表裏交互にカットするだけの簡易な方法で、スクリーンＳ３を容易に製造することができる。更に、リブ２８（図４）を用いる必要がなくなる。
【００７０】
＜第１実施形態の応用例４＞
図６は、第１実施形態の応用例４に係るプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【００７１】
図６（ａ）〜（ｃ）に示す応用例４のプリーツスクリーン２０Ｄが、第１実施形態のプリーツスクリーン２０（図１）と異なる点は、プラダンＰの両端に、後述のように複数のランナ（例えば滑車）３１を取り付け、各ランナ３１を、プラダンＰの両側に沿って配置されたガイドレール３２に移動自在に組み合わせてスクリーンＳ４を構成したことにある。ランナ３１は、スクリーンＳ４のスリットｔ間で且つプラダンＰの両端に、回転軸（図示せず）を介して回動自在に取り付けられている。本例では、プラダンＰの一端側に６個のランナ３１が取り付けられている。例えば、プラダンＰの両端に開口した中空部に、ランナ３１の回転軸を差し込んで取り付けてもよい。なお、ランナ３１は請求項記載の係合部材を構成する。
【００７２】
両側のガイドレール３２は、例えば窓枠の両側の縦枠に取り付けられ、断面形状がコ字形状を成し、このコ字形状の中に各ランナ３１が外れないように移動自在に組み込まれる。
【００７３】
この構成においては、スクリーンＳ４をジグザグ状に折り畳んだり、この逆に展開させたりして昇降させる際に、スクリーンＳ４の両側に配設されたランナ３１がガイドレール３２内に支持されながら走行する。このため、スクリーンＳ４の昇降を安定的にスムーズに行うことができると共に、スクリーンＳ４（プラダンＰ）が遮蔽位置から外れることを防止することができる。また、スクリーンＳ４の展開時に、両側のランナ３１がガイドレール３２で支持されているので、スクリーンＳ４の一面側からの押圧力に抗する押圧強度が、より強くなる。このプリーツスクリーン２０Ｄは、例えば、カプセルホテルのカプセルの出入口に配設すれば、カプセル外部との遮蔽に好適な効果を奏すことができる。
【００７４】
＜第２実施形態の構成＞
図７は、本発明の第２実施形態に係る遮蔽装置としてのプリーツスクリーンの構成を示し、（ａ）はプリーツスクリーン昇降途中の構成を示す正面図、（ｂ）は（ａ）の側面図、（ｃ）はプリーツスクリーン展開時の構成を示す側面図である。
【００７５】
図７（ａ）〜（ｃ）に示すプリーツスクリーン２０Ｈは、窓枠等に取り付けられたヘッドボックス２１からスクリーンＳ５が吊下支持されている。スクリーンＳ５は、ヘッドボックス２１とボトムレール２５との間に、板材Ｂと幕材Ｍの双方を吊下げて構成されてる。
【００７６】
板材Ｂは、上端がヘッドボックス２１、下端がボトムレール２５に取り付けられている。この板材Ｂの両面に、両端間を横切るスリット（切れ目）ｔが上下方向に所定間隔で表面と裏面とに交互に形成されている。スリットｔは、板材Ｂの一面側から入れられるが、他面側には貫通しないので、板材Ｂのスリットｔの奥の他面側は繋がった形状となっている。このように板材Ｂの一面側から入ったスリットｔの奥の他面側が繋がった形状が、表面と裏面とに上下方向に交互に形成されることで、板材Ｂは、上下にジグザグ状（山折及び谷折の蛇腹状）に折畳み又は平面状に展開｛図７（ｃ）｝しながら昇降可能となっている。
【００７７】
幕材Ｍは、幕状を成して板材Ｂの表側に配置され、上端がヘッドボックス２１、下端がボトムレール２５に取り付けられている。但し、幕材Ｍの下端は、非取付状態でもよい。この幕材Ｍは、可撓性や柔軟性を有する素材であり、プリーツ構造材に裏打ちされたレザーや、生地（布地）等が適用される。
板材Ｂと幕材Ｍの双方は、ヘッドボックス２１に搭載される操作装置（図示せず）に組み合わされた操作コード２３の操作により昇降可能となっている。この昇降により窓からの採光量を適宜調節することができる。板材Ｂには、ヘッドボックス２１から垂下する昇降紐２４が挿通される貫通孔Ｂｂが設けられている。板材Ｂは、プラスチック板等の軽量の板材が用いられる。この他、図２（ａ）〜（ｄ）に示した構成のプラダンや、他の材料による中空構造の板材を用いてもよい。
【００７８】
この他、幕材Ｍは、着脱自在に取り付けられていてもよい。この場合、幕材Ｍを着脱自在に取り付け可能なマジックテープ（登録商標）等の取付部（図示せず）をヘッドボックス２１の表面（一面）又は板材Ｂの表面（一面）に固定する。この固定された取付部に幕材Ｍを着脱自在に取り付ける。この構成によれば、季節に応じたり、来客やパーティー等に応じて幕材Ｍを取り換える等、自在に取り換えることができる。
【００７９】
更に変形例として、図7（ｂ）に示す昇降紐２４が最も延びて、図７（ｃ）に示すようにボトムレール２５が最下限まで降りた状態で、板材Ｂが図７（ｂ）に示すようなジグザグを保持し、この保持された板材Ｂと、幕材Ｍとの間に空気層が形成される構成としてもよい。
【００８０】
＜第２実施形態の動作＞
操作コード２３を一方向へ手繰り寄せ続けると、スクリーンＳ５の板材Ｂが上方へジグザグ状に折り畳まれて上昇すると共に、幕材Ｍが撓みながら上昇する。板材Ｂは、最上昇時には、隙間無く折り畳まれた状態でヘッドボックス２１の下面に装着され、幕材Ｍは、ヘッドボックス２１とボトムレール２５間に折り曲げられた状態で保持される。この状態から操作コード２３を反対方向へ手繰り寄せ続けると、スクリーンＳが徐々に下降しながら展開されて行き、最終的には図７（ｃ）に示す１枚の平板状に展開して立設状態となる。つまり、操作コード２３の操作で上下方向の昇降紐２４のテンションを調整することにより、各スリットｔの上下面が密着状に当接して板材Ｂ全体を立設した一枚の板状に保持することができる。この状態では、板材Ｂと幕材Ｍとの間に隙間Ｇが形成される。
【００８１】
＜第２実施形態の効果＞
第２実施形態のプリーツスクリーン２０Ｈは、ジグザグ状に折り畳み可能としたスクリーンＳ５を有しており、本実施形態では次のような特徴構成とした。
【００８２】
（１）スクリーンＳ５は、長方形状の両面に、当該長方形状の両端間を横切るスリットｔが当該スリットｔに直交する方向に所定間隔で表面と裏面とに交互に形成された板材Ｂと、板材Ｂと離間して配設され、柔軟性を有する幕材Ｍとを備える構成となっている。
【００８３】
この構成によれば、板材Ｂが平板状に展開された際に、この板材Ｂに離間して幕材Ｍが配置され、この幕材ＭによりスクリーンＳ５のジグザグ形状が隠されるので、美観を良くすることができる。幕材Ｍを装飾すれば美観を更に向上させることができる。また、板材Ｂと幕材Ｍとの間に空気層を有する隙間Ｇが形成される。この空気層を有する仕切り手段によって、例えば窓と外との熱を遮る断熱効果を得ることができる。
【００８４】
（２）板材Ｂに、中空構造のプラダン等の板材を用いた構成とした。この構成によれば、断熱効果をより高めることができる。
【００８５】
＜第２実施形態の応用例１＞
図８は、第２実施形態の応用例１に係るプリーツスクリーンの構成を示す側面図である。
図８に示す応用例１のプリーツスクリーン２０Ｉが、第２実施形態のプリーツスクリーン２０Ｈ（図７）と異なる点は、幕材Ｍと同じ幕材Ｍ１を、更に板材Ｂの後側に配置し、上端をヘッドボックス２１、下端をボトムレール２５に取り付けてスクリーンＳ６を形成したことにある。
【００８６】
この構成によれば、板材Ｂが平板状に展開された際に、この板材Ｂの表と裏の両側に幕材Ｍ，Ｍ１が離間して延びた状態で配置されるので、窓と外との熱を遮る断熱効果を、より高めることができる。
【００８７】
＜第２実施形態の応用例２＞
図９は、第２実施形態の応用例２に係るプリーツスクリーンの構成を示す側面図である。
図９に示す応用例２のプリーツスクリーン２０Ｊが、第２実施形態のプリーツスクリーン２０Ｈ（図７）と異なる点は、ヘッドボックス２１に巻上ローラ５３を設け、この巻上ローラ５３に幕材Ｍの上端を取り付けて、スクリーンＳ７を構成したことにある。つまり、幕材Ｍは、巻上ローラ５３によって巻上、巻下げられて、単独で昇降するようになっている。巻上ローラ５３は、ロールスクリーン同様に、プルコード式、チェーン式、ワンタッチ式の３タイプの構成がある。
【００８８】
プルコード式は、ヘッドボックス２１内に、幕材Ｍの自動巻上げを行う図示せぬ巻上機構（例えば、スプリングモータ）と、幕材Ｍの自重降下を防止する図示せぬストッパー装置等が巻上ローラ５３に組合されて収容されている。幕材Ｍの下方にウエイトバー（図示せず）が固定され、このウエイトバーに引っ張り可能なプルグリップ（図示せず）が固定されている。プルグリップを下方に引っ張ることで巻上ローラ５３が幕材Ｍを巻戻し方向へ回転してウェイトバーが下降し、任意位置でプルグリップを手放すとストッパー装置により幕材Ｍが引き出された状態で停止する。この状態からプルグリップを僅かに下方に引っ張り手放すと、ストッパー装置によるロックが解除され、巻上ローラ５３が幕材Ｍの巻取り方向へ回転してウェイトバーが上昇するようになっている。
【００８９】
チェーン式は、幕材Ｍの一側端に無端状のボールチェーン（図示せず）による操作コードが設けられている。ボールチェーンが巻上ローラ５３に回転可能に組合されたプーリーに巻き掛けられている。このプーリーの外周面には、ボールチェーンのボール部が嵌まり込む複数の凹部が形成されている。ボールチェーンを一回転方向へ手繰り寄せ続けると、幕材Ｍが引き上げられて上昇する。一方、上昇した状態からボールチェーンを反対回転方向へ手繰り寄せ続けると、幕材Ｍが徐々に下降する。
【００９０】
ワンタッチ式は、プルコード式でボールチェーン操作を行う方式であり、幕材Ｍを上げる時は、少しボールチェーンを引けばスプリングモータが駆動して巻上ローラ５３が幕材Ｍの巻上を行う。幕材Ｍを下げる時は、ボールチェーンを一回転方向へ手繰り寄せて行う。
なお、巻上ローラ５３は請求項記載の昇降手段を構成する。
【００９１】
このため、スクリーンＳ７は、板材Ｂが平板状に展開された状態で、幕材Ｍを巻上げることで板材Ｂの柄を見せたり、幕材Ｍを巻下げることで幕材Ｍの柄を見せたりする演出を行うことができる。更に、幕材Ｍを途中位置まで垂らすことで、幕材Ｍと板材Ｂとの柄を組合せた柄で演出することもできる。
【００９２】
この他、幕材Ｍを、ローマンシェード（たくし上げカーテン）のようにたくし上げる構成としてもよい。この構成は、図示はしないが例えば、ヘッドボックスから幕材Ｍを吊下支持し、ヘッドボックスから垂下される複数本の昇降コードの一端を幕材Ｍの下端部に接続し、昇降コードの他端をヘッドボックスの一側部から垂下し、この昇降コードの他端を操作することにより幕材Ｍをたくし上げて上昇、この逆に下降可能となっている。
【００９３】
＜第２実施形態の応用例３＞
図１０は、第２実施形態の応用例３に係るプリーツスクリーンの構成を示す側面図である。
図１０に示す応用例３のプリーツスクリーン２０Ｋが、第２実施形態のプリーツスクリーン２０Ｈ（図７）と異なる点は、次の通りスクリーンＳ８を形成したことにある。即ち、貫通孔Ｂｂ（図７）の無い板材Ｂの両面に、両端間を横切るスリットｔを、上下方向に所定間隔で表面と裏面とに交互に形成し、スリットｔで折り畳まれる山折側の稜線に、横方向両端に跨るリブ２８を設ける。このリブ２８に上下方向（リブ配列方向）に貫通する貫通孔２８ａを形成し、貫通孔２８ａに昇降紐２４を挿通する。更に、上述した幕材Ｍ（図７）と同じ幕材Ｍ３を、板材Ｂの表側に接着する。この接着は、板材Ｂの表側から見た矢印Ｙ１で示す谷折部分に行う。更に、板材Ｂと、ヘッドボックス２１及びボトムレール２５との付根部分にも幕材Ｍ３を接着する。なお、板材Ｂに、中空構造のプラダン等の板材を用いてもよい。
【００９４】
この構成においては、幕材Ｍ３が板材Ｂの表から見た谷折部分に接着されているので、板材Ｂ及び幕材Ｍ３を１本の昇降紐２４で昇降させることができる。また、板材Ｂが平板状に展開された際に、幕材Ｍ３の接着箇所の間部分が板材Ｂに対してドーム状に膨らむので、その膨らんだ部分に空気層ができ、断熱効果を得ることができる。
【００９５】
＜第３実施形態の構成＞
図１１は、本発明の第３実施形態に係る遮蔽装置としての縦型ブラインドを示し、（ａ）は縦型ブラインドの構成を示す斜視図、（ｂ）は（ａ）の縦型ブラインドのスラットの一部断面図である。
図１１に示す縦型ブラインド２０Ｌは、ハンガーレール６０内から下方に垂下された複数のランナー６１の各々に、スラットハンガー６２を介してスラット６３が吊下支持されている。
【００９６】
詳細に説明すると、ハンガーレール（レール）６０は、下面がレール６０に沿って開口した長手形状を成し、窓枠上方の小口面等に取付ブラケット６４で固定される。このハンガーレール６０内には、レール６０に沿って移動可能に複数のランナー６１が上記開口から下方に垂下されて支持されている。各ランナー６１には、この下端部に取り付けられたスラットハンガー６２で、窓枠の縦寸法に略対応した細長い板状を成すスラット６３が支持されて吊下げられている。
【００９７】
スラット６３は、図１１（ａ）の破線楕円枠内の断面を表す図１１（ｂ）に示すように、上記第１実施形態で説明したハニカム構造の板材（プラダン）Ｐを使用している。板材Ｐには、図２（ａ）〜（ｅ）に示したような種々の構成のプラダンや中空構造の板材が用いられる。スラット６３の下端部には、必要に応じてセーフティーキャップ６８が取り付けられる。また、スラット６３は、コーティング等の端面処理が施されてる。スラット６３は、板材Ｐの中空構造の連続方向が、ハンガーレール６０に吊り下がる方向に連続して延びている構成としてもよい。この中空構造の連続方向が連続して延びているとは、中空構造の中空部分がスラット６３の吊り下がる方向の全長に渡って延びている場合や、全長の途中まで延びている場合を表している。
【００９８】
各ランナー６１には、ハンガーレール６０内のレールに沿ったチルト軸（図示せず）がこの軸方向に相対移動可能に挿通され、チルト軸の両端がハンガーレール６０の両端のエンド部６０ａ，６０ｂにおいて回転可能に支持されている。ハンガーレール６０の一方のエンド部６０ａには、操作部６５が設けられている。この操作部６５から下方側には、チルトコード６６及びドライブコード６７が環状に吊り下がっている。チルトコード６６を引き下げ操作すると、操作部６５内にチルト軸に組合されて配設されたギヤ機構を介してチルト軸が回転する。この回転に伴って各ランナー６１の下端部が水平回転し、各ランナー６１に吊下支持されたスラット６３が水平方向に回動する。
【００９９】
ドライブコード６７を引き下げ操作すると、例えば、一方のエンド部６０ａ側に最も近く垂下される先頭ランナー６１が移動する。この移動に追随して後続のランナー６１が順次引き出されてスラット６３を拡げながら移動する。この移動により、各スラット６３を窓の前面に展開させて配置することができる。この逆に先頭ランナー６１が移動すると、この移動する先頭ランナー６１によって後続のランナー６１が順次押し戻され、スラット６３を畳み込みながら移動する。この移動により、各スラット６３を窓の一方側にコンパクトに畳み込んで配置することができる。
【０１００】
なお、チルトコード６６及びドライブコード６７には、各々コードクリップ６９が取り付けられており、各々のコード６６，６７を手繰り上げて束ね、コードクリップ６９で挟んで固定できるようになっている。
また、上記チルト軸（図示せず）、上記ギヤ機構（図示しない）、操作部６５、チルトコード６６及びドライブコード６７を備えて、請求項記載の操作機構を構成する。
【０１０１】
＜第３実施形態の効果＞
第３実施形態の縦型ブラインド２０Ｌは、ハンガーレール６０内を移動可能に支持された複数のランナー６１によりスラット６３が垂下支持され、操作機構により、各ランナー６１が一方向へ順次移動することによりスラット６３が拡がる。各ランナー６１が他方向へ順次移動することによりスラット６３が畳み込まれるようになっている。本実施形態の特徴は次の点にある。
（１）スラット６３が、中空構造の板材Ｐにより構成されている。
【０１０２】
この構成によれば、縦型ブラインド２０Ｌが平面状に拡がって展開された場合、例えば窓と室内との間に空気層を有するスラット６３による仕切り層ができるので、窓と外で交換される熱を遮る断熱効果を得ることができる。また、スラット６３を中空構造の板材Ｐを用いて構成するだけなので、容易に製造することができる。
【０１０３】
（２）スラット６３は、板材Ｐの中空構造の連続方向が、ハンガーレール６０に吊り下がる方向に連続して延びている構成とした。
この構成によれば、スラットに中空部分を多くすることが可能なので軽量化を図ることができ、スラット６３の移動や回転を、よりスムーズに行うことができる。
【０１０４】
（３）スラット６３は、端面処理が施されている構成とした。
この構成によれば、スラット６３の外観の美観を向上させることができる。
【０１０５】
以上、本発明の実施形態について説明したが、本発明は前記実施形態に限定されることなく、その趣旨を逸脱しない範囲で適宜に変更が可能である。
例えば、本発明の遮蔽装置は、ローマンシェード（たくし上げカーテン）等の各種のブラインド（日射遮蔽装置）或いは、部屋や納戸、大型のワードローブの区切り等に適用することができる。
【符号の説明】
【０１０６】
２０，２０Ａ，２０Ｂ，２０Ｃ，２０Ｄ，２０Ｊ，２０Ｋ  遮蔽装置（プリーツスクリーン）
２１  ヘッドボックス
２３  操作コード
２４  昇降紐
２５  ボトムレール
２８，２９  リブ
３１  ランナ（係合部材）
３２  ガイドレール
５３  巻上ローラ（昇降手段）
Ｂ  板材
Ｂｂ，Ｐｂ，２８ａ，２９ａ  貫通孔
Ｍ，Ｍ１，Ｍ２，Ｍ３  幕材
Ｐ，Ｐ１，Ｐ２  プラスチック段ボール板（プラダン）
Ｓ１，Ｓ２，Ｓ３，Ｓ４，Ｓ５，Ｓ６，Ｓ７，Ｓ８  スクリーン
ｔ  スリット（非連続部分）
ｔ１  スリット形状部
【図１】
2018165427.tif 000003
【図２】
2018165427.tif 000004
【図３】
2018165427.tif 000005
【図４】
2018165427.tif 000006
【図５】
2018165427.tif 000007
【図６】
2018165427.tif 000008
【図７】
2018165427.tif 000009
【図８】
2018165427.tif 000010
【図９】
2018165427.tif 000011
【図１０】
2018165427.tif 000012
【図１１】
2018165427.tif 000013
【図１２】
2018165427.tif 000014